(57)【要約】【課題】  ターンテーブル装置およびそれを用いたスピンドルモータにおいて、さらなる部品点数の削減およびコストダウンを実現することを課題とする。【解決手段】  ターンテーブル部１１は、中心孔を有する情報記録ディスクを載置するためのターンテーブルであって、ディスク載置部１２とチャックケース１３とを備えている。ディスク載置部１２は、情報記録ディスクの中心孔の周囲面を支持する。チャックケース１３は、ディスク載置部１２の中央部において一体的に形成され、少なくとも一部が情報記録ディスクの中心孔に嵌入される。チャックケース１３の外周部には、情報記録ディスクの調芯用の調芯爪２７が形成されているとともに、情報記録ディスクの保持用のチャック爪１８の径方向への進退を可能とさせる保持用スリット３０が形成されている。【選択図】      図１
2005339591.tif 000002
【特許請求の範囲】
【請求項１】
中心孔を有する情報記録ディスクを載置するためのターンテーブルであって、
前記情報記録ディスクの中心孔の周囲面を支持するディスク載置部と、
前記ディスク載置部の中央部において一体的に形成され、少なくとも一部が前記情報記録ディスクの中心孔に嵌入されるディスク保持部と、
を備え、
前記ディスク保持部の外周部には、前記情報記録ディスクの調芯用の調芯爪が形成されているとともに、前記情報記録ディスクの保持用の保持爪の径方向への進退を可能とさせる保持爪用スリットが形成されている、
ターンテーブル。
【請求項２】
前記ディスク保持部は、前記ディスク載置部の中央部から環状に突出し、
前記調芯爪は、前記ディスク保持部の突出する端面の外周縁から側面にかけて形成された調芯爪用スリット内に配置される湾曲片であって、一端が前記端面に一体的に接続され他端が径方向外方に下傾しつつ前記側面を超えて延びる湾曲片により構成されている、
請求項１に記載のターンテーブル。
【請求項３】
前記ディスク載置部と前記ディスク保持部とは、合成樹脂により一体的に形成されている、
請求項１または２に記載のターンテーブル。
【請求項４】
請求項１〜３のいずれかに記載のターンテーブルと、
前記ターンテーブルのディスク保持部の外周部に形成された保持爪用スリットにおいて、径方向に進退自在に、かつ径方向外方に弾発付勢されて配置される保持爪と、
を備えるターンテーブル装置。
【請求項５】
静止部材と
前記静止部材に回転自在に支持され、請求項４に記載のターンテーブル装置を有する回転部材と、
前記静止部材に固定されたステータと、
前記ステータに対向するように前記回転部材に固定され、前記ステータと協働して回転磁界を発生するためのロータマグネットと、
を備えるスピンドルモータ。
【発明の詳細な説明】
【技術分野】
【０００１】
本発明は、ターンテーブル、特に、情報記録ディスクを載置するためのターンテーブルに関する。さらに、そのターンテーブルが用いられるターンテーブル装置およびスピンドルモータに関する。
【背景技術】
【０００２】
ＣＤ、ＤＶＤなど情報記録ディスクを回転するためのモータにおいて、ディスク載置用のターンテーブル装置が設けられている。
このターンテーブル装置は、一般的に、情報記録ディスクの中心に形成された中心孔の周囲面を支持するターンテーブル部と、ターンテーブル部の中央部に設けられ情報記録ディスクの中心孔に嵌入されるディスクホルダ部とから構成される。
また、このターンテーブル装置では、ターンテーブル装置に載置された情報記録ディスクを調芯するためのディスク調芯機構、および情報記録ディスクをターンテーブル装置に保持するためのディスク保持機構が設けられている。ディスクホルダ部が嵌入される情報記録ディスクの中心孔の径寸法は、規格により定められているものの、寸法の公差は比較的大きく決められている。このため、情報記録ディスクの偏芯回転を防ぎ、情報記録ディスクをターンテーブル装置と一体的に回転させるためには、このようなディスク調芯機構やディスク保持機構が必要とされる。
ディスク調芯機構としては、ディスクホルダ部の外周部に弾性爪を設け、情報記録ディスクを載置する際に自動調芯する機構が知られている（例えば、特許文献１参照。）。
ディスク保持機構としては、マグネットクランプ方式と呼ばれる機構とボールチャック方式と呼ばれる機構とが知られている。
【０００３】
マグネットクランプ方式では、ターンテーブル装置のディスクホルダ部には、環状マグネットが固着されている。この環状マグネットに対して、ドライブ装置側に回転自在に配置されたクランパと呼ばれる押さえ装置が吸着される。このクランパにより、情報記録ディスクは、ターンテーブル装置に押圧され保持される。あるいは、ディスクホルダ部側に吸着板（ヨーク）、クランパ側にマグネットを配置するものも存在する。
ボールチャック方式では、ターンテーブル装置のディスクホルダ部の外周部より出没可能、かつ径方向外方に弾発付勢されるチャック爪がディスクホルダ部の外周部の周方向等間隔（３カ所程度）に設けられている。このチャック爪は、情報記録ディスクの中央孔にディスクホルダ部が嵌入される際に、情報記録ディスクの中央孔に係合し、情報記録ディスクを保持する。
上記従来のターンテーブル装置、特にディスク保持機構としてボールチャック方式を採用するターンテーブル装置は、ターンテーブル部とディスクホルダ部とが別部材により形成されており、それぞれの部材を組み合わせることにより構成されている。また、それぞれの部材の組み合わせは、ターンテーブル部の中央部に設けられた円筒状のボスの外周部に、ディスクホルダ部の中心部に設けられた嵌合孔を嵌め合わせることにより実現されている（例えば、特許文献２参照。）。
【特許文献１】特開２０００−１１３５４４号公報
【特許文献２】特開２００２−２８８９１０号公報
【発明の開示】
【発明が解決しようとする課題】
【０００４】
しかし、従来のターンテーブル装置およびそれを用いた製品に対しては、さらなる部品点数の削減およびコストダウンが求められる。
そこで、本発明では、ターンテーブル装置およびそれを用いたスピンドルモータにおいて、さらなる部品点数の削減およびコストダウンを実現することを課題とする。
【課題を解決するための手段】
【０００５】
請求項１に記載のターンテーブルは、中心孔を有する情報記録ディスクを載置するためのターンテーブルであって、ディスク載置部とディスク保持部とを備えている。ディスク載置部は、情報記録ディスクの中心孔の周囲面を支持する。ディスク保持部は、ディスク載置部の中央部において一体的に形成され、少なくとも一部が情報記録ディスクの中心孔に嵌入される。ディスク保持部の外周部には、情報記録ディスクの調芯用の調芯爪が形成されているとともに、情報記録ディスクの保持用の保持爪の径方向への進退を可能とさせる保持爪用スリットが形成されている。
ここで、情報記録ディスクとは、例えば、ＣＤ、ＤＶＤ、ＰＤなどを含む。
ターンテーブルは、ディスク載置部とディスク保持部とを一体的に形成したものである。さらにターンテーブルには、調芯爪と保持爪用スリットが形成されている。
本発明のターンテーブルでは、ディスク載置部とディスク保持部とを一体的に形成し、部品点数の削減およびコストダウンを実現することが可能となる。
また、付随的な効果として、ディスク調芯の精度が向上する。すなわち、ターンテーブル、特にディスク保持部を、情報記録ディスクを回転駆動させるスピンドルモータなどのディスク駆動装置の回転軸に直接取り付けることができるため、ディスク駆動装置の回転軸の軸心と情報記録ディスクの中心とを精度良く調芯することが可能となる。
【０００６】
請求項２に記載のターンテーブルは、請求項１に記載のターンテーブルであって、ディスク保持部は、ディスク載置部の中央部から環状に突出している。調芯爪は、ディスク保持部の突出する端面の外周縁から側面にかけて形成された調芯爪用スリット内に配置される湾曲片であって、一端が端面に一体的に接続され、他端が径方向外方に下傾しつつ側面を超えて延びる湾曲片により構成されている。
情報記録ディスクの中心孔には、ディスク保持部が嵌入される。さらに、情報記録ディスクの中心孔は、ディスク保持部の側面から突出する湾曲片と当接する。
本発明のターンテーブルでは、湾曲片により情報記録ディスクの調芯が行われる。このため、情報記録ディスクの中心孔の径寸法にばらつきがあっても、精度良く調芯を行うことが可能となる。
請求項３に記載のターンテーブルは、請求項１または２に記載のターンテーブルであって、ディスク載置部とディスク保持部とは、合成樹脂により一体的に形成されている。
例えば、合成樹脂として熱可塑性樹脂を用い、インジェクション・モールド法などにより成型が行われている。なお、合成樹脂とは、例えば、ポリカーボネート（ＰＣ）、ポリフェニレンスルフィド（ＰＰＳ）、アセタール（ＰＯＭ）およびそれらの複合材料などである。
【０００７】
本発明のターンテーブルは、合成樹脂により形成されている。このためターンテーブルの製造が容易となる。また、ディスク載置部とディスク保持部とを一体的に形成することにより、合成樹脂材料の使用量を削減することも可能となる。
請求項４に記載のターンテーブル装置は、請求項１〜３のいずれかに記載のターンテーブルと、ターンテーブルのディスク保持部の外周部に形成された保持爪用スリットにおいて、径方向に進退自在に、かつ径方向外方に弾発付勢されて配置される保持爪とを備えている。
情報記録ディスクの中心孔には、ディスク保持部が嵌入される。さらに、情報記録ディスクは、径方向に弾性的に支持されている保持爪により係止される。
本発明のターンテーブル装置では、ディスク調芯機構とチャック方式によるディスク保持機構とを実現することが可能となる。さらに、ターンテーブルが一体的に形成されているため、ターンテーブル装置の部品点数の削減およびコストダウンが可能となる。
請求項５に記載のスピンドルモータは、静止部材と、回転部材と、ステータと、ロータマグネットとを備えている。回転部材は、静止部材に回転自在に支持され、請求項４に記載のターンテーブル装置を有する。ステータは、静止部材に固定されている。ロータマグネットは、ステータに対向するように回転部材に固定され、ステータと協働して回転磁界を発生する。
【０００８】
本発明のスピンドルモータでは、ターンテーブルが一体的に形成されているため、スピンドルモータの部品点数の削減およびコストダウンが可能となる。
さらに付随的な効果として、ターンテーブル装置のディスク調芯の精度が向上しているため、情報記録ディスクの偏芯回転を防ぐことが可能となる。
【発明の効果】
【０００９】
本発明により、ターンテーブル装置およびそれを用いたスピンドルモータにおいて、さらなる部品点数の削減およびコストダウンを実現することが可能となる。
【発明を実施するための最良の形態】
【００１０】
１．ターンテーブル装置
図１〜図１０を用いて、本発明の情報記録ディスク用のターンテーブル装置１０について説明する。本実施形態の説明では、便宜上、図１の紙面裏側から表側に向かう方向をターンテーブル装置の「軸方向の上方向」とするが、このことは、ターンテーブル装置の実際の取付状態における方向を限定するものではない。さらに、ターンテーブル装置の回転軸（ターンテーブル装置の回転中心）の放射方向を「径方向」とする。
図１は、本発明の情報記録ディスク用のターンテーブル装置１０の平面図である。ターンテーブル装置１０は、ＣＤ、ＤＶＤなどといった情報記録ディスクを駆動させる装置において、情報記録ディスクが載置されるとともに、情報記録ディスクと一体的に回転駆動される装置である。
ターンテーブル装置１０は、ターンテーブル部１１から主に構成されている。ターンテーブル部１１は、情報記録ディスクの中心孔の周囲面を支持する円環状のディスク載置部１２と、載置された情報記録ディスクの中心孔に嵌入されるべくディスク載置部１２の中央部において設けられた環状突部であるチャックケース１３とから構成される。チャックケース１３には、載置された情報記録ディスクの中心とターンテーブル装置１０の回転中心とを調芯するための「ディスク調芯機構１５」が形成されている。さらに、チャックケース１３は、載置された情報記録ディスクの軸方向への移動を制限するためのチャック爪１８から主に構成される「ディスク保持機構１６」を収納している。
【００１１】
〈ターンテーブル部〉
ターンテーブル部１１の詳細について、図２〜図５を用いて説明する。図２はターンテーブル部１１の平面図、図３は底面図、図４はターンテーブル部１１を図２のａ−ａ線に沿って切断した断面図、図５はターンテーブル部１１を図２のｂ−ｂ線に沿って切断した断面図である。説明は、主に図２を用いて行い、必要に応じて図３〜図５を参照する。
ターンテーブル部１１は、情報記録ディスクの中心孔の周囲面を支持する円環状のディスク載置部１２と載置された情報記録ディスクの中心孔に嵌入されるべくディスク載置部１２の中央部において設けられた環状突部であるチャックケース１３とから構成される。ディスク載置部１２とチャックケース１３とは、樹脂成型品として金型等によって一体的に成型されている。より詳しくは、ターンテーブル部１１は、例えば、ポリカーボネート（ＰＣ）、ポリフェニレンスルフィド（ＰＰＳ）、ポリアセタール（ＰＯＭ）、あるいはそれらの複合材料などで形成される。
ディスク載置部１２は、ターンテーブル部１１の外周部に位置する円環状の部分であり、その外周縁には情報記録ディスクの中心孔の周囲面を直接支持するためのゴムリング２０（図１参照）が例えば接着などにより固着されている。
【００１２】
ディスク載置部１２の径寸法は、例えば、情報記録ディスクを中心孔の周囲面において安定的に支持するのに充分な寸法として決定されている。
チャックケース１３は、ディスク載置部１２の中央部において、軸方向上側に突出する環状の部分である（図４または図５参照）。チャックケース１３は、ターンテーブル装置１０とともに情報記録ディスクを回転駆動させるためのスピンドルモータ（図示せず）のシャフトの上端部において外嵌され、チャックケース１３の軸方向寸法とほぼ等しい軸方向寸法を有する筒部２１と、筒部２１の上端から径方向外方へと伸びる円環状の上端部２２と、上端部２２の外周縁から軸方向下側に伸びる環状の側面部２３とから構成されている（図４または図５参照）。
チャックケース１３の径寸法について説明する。チャックケース１３の側面部２３の径寸法は、情報記録ディスクの中心孔の公差範囲内最小寸法よりも僅かに小さくなるよう設計されている。これにより、情報記録ディスクの中心孔が規格により定められた公差範囲内の大きさであれば、チャックケース１３は、情報記録ディスクの中心孔に嵌入されることとなる。
〈ディスク調芯機構〉
ターンテーブル部１１には、チャックケース１３とディスク載置部１２の内周部とに渡って放射状に、かつ周方向に間隔をあけて３つの調芯用スリット２６が形成されている。より詳しくは、周方向等間隔に３つの調芯用スリット２６が形成されている。これら各調芯用スリット２６には、一端がチャックケース１３の上端部２２に一体的に接続され、他端が径方向外方に下傾して伸びる調芯爪２７が配置されている。この調芯爪２７もターンテーブル部１１に一体的に形成されている。
【００１３】
各調芯爪２７は、チャックケース１３の上端部２２と一体的に接続され径方向外方に伸びる板状部２７ａと、板状部２７ａの先端において形成され径方向外方に向かってなだらかに下傾して伸びる湾曲部２７ｂとから構成されている（図４参照）。また、湾曲部２７ｂは、平面的に見た場合、円弧状に形成されている。
湾曲部２７ｂは、チャックケース１３の側面部２３の半径方向位置を超えない半径方向位置において板状部２７ａと接続されており、チャックケース１３の側面部２３の半径方向位置を超える半径方向位置まで伸びている。すなわち、各調芯爪２７の下部側面２７ｃは、チャックケース１３の側面部２３よりも径方向外方に僅かに突出することとなる。
ここで、情報記録ディスクと、ディスク調芯機構１５との寸法関係について説明する。チャックケース１３の側面部２３の最大半径は、情報記録ディスクの中心孔における公差範囲内最小半径以下に設計される。一方、各調芯爪２７の下部側面２７ｃにより形成される仮想円の半径は、情報記録ディスクの中心孔における公差範囲内最大半径より僅かに大きくなるよう設計される（図４参照）。
このような調芯爪２７は、情報記録ディスクの有効的な調芯のために周方向に少なくとも３つ以上設けられていることが望ましいが、その数については特に限定されるものではない。
【００１４】
〈ディスク保持機構の構成〉
ターンテーブル部１１には、チャックケース１３とディスク載置部１２の内周部とに渡り、各調芯用スリット２６の径方向に対向する位置において、３つの保持用スリット３０が形成されている。より詳しくは、周方向等間隔に３つの保持用スリット３０が形成されている。
各保持用スリット３０は、チャックケース１３の上端部２２に形成された上部スリット３０ａと、上部スリット３０ａと連続し、チャックケース１３の上端部２２、側面部２３およびディスク載置部１２の内周部とに形成される側部スリット３０ｂとから構成されている。側部スリット３０ｂの周方向長さは、上部スリット３０ａの周方向長さより長い。
さらに、側部スリット３０ｂには、ディスク載置部１２の内周部に一体的に形成され、径方向内方に突出するとともに軸方向上方に向かって伸びる突起であるストッパー３１が配置されている。ストッパー３１は、ほぼチャックケース１３の側面部２３と同じ径方向厚みを有している。ストッパー３１の上端は、径方向内方に向かって下傾する傾斜面３１ａにより形成されている。これにより、ストッパー３１は、径方向外方に向かうにつれて増加する軸線方向厚みを有している（図４参照）。
【００１５】
ターンテーブル装置１０（図１参照）では、ターンテーブル部１１の各保持用スリット３０において、径方向に進退自在に、かつ径方向外方にコイルスプリングなどの弾発部材３４により弾発付勢されるチャック爪１８が配置されている。
図６〜図９を用いて、チャック爪１８の構造について説明する。図６はチャック爪１８の側面図、図７は平面図、図８は正面図、図９は底面図を示す。説明は、主に図６を用いて行い、必要に応じて図７〜図９を参照する。
図６に示すチャック爪１８は、図６の右側が径方向外方となるようにターンテーブル装置１０に配置される。チャック爪１８は、平坦面３５ａと平坦面３５ａから径方向外方（図６右側）に向かうにつれて下傾する上側傾斜面３５ｂとを有する上部傾斜部３５と、上側傾斜面３５ｂと径方向の最も外方において交わる面であって、径方向内方（図６左側）に向かうにつれて下傾する下側湾曲面３６ａを有する下部湾曲部３６と、下側湾曲面３６ａの径方向内側の下部を被うように接続された長方形状の径方向端部３７と、径方向端部３７の周方向両端から径方向内側に向かって直交して伸びる側面部３８と、径方向端部３７から径方向内側に突出する突起部３９とを備えている（図７〜図９参照）。
上部傾斜部３５の周方向幅は、下部湾曲部３６よりも狭く、上部傾斜部３５と下部湾曲部３６との周方向中心は一致している（図７参照）。このため、図８に示す正面図に見られるように、上部傾斜部３５は、下部湾曲部３６から軸方向上側に突出するよう形成されている。また、上部傾斜部３５の周方向幅は、チャックケース１３の上部スリット３０ａの周方向幅にほぼ一致しており、上部傾斜部３５の平坦面３５ａにおける軸方向厚みは、チャックケース１３の上端部２２の軸方向厚みとほぼ一致している。
【００１６】
図１０を用いて、ディスク保持機構１６についてさらに説明を加える。図１０は、ターンテーブル装置１０を固定するスピンドルモータ４０の断面図である。図１０におけるターンテーブル装置１０の断面は、図１におけるｏ−ｏ線に沿って切断した断面図である。
図１０では、チャック爪１８の一部がチャックケース１３の内部に収納されるとともに、弾発部材３４により径方向外方に付勢されて配置されている。弾発部材３４は、一端がチャックケース１３の筒部２１に固定され、他端がチャック爪１８の突起部３９に固定されている。これにより、チャック爪１８は、図１０の状態から径方向内方への移動が可能となっている。一方、チャック爪１８は、ストッパー３１により、径方向外方への移動が制限されている。より具体的には、チャック爪１８が径方向外方に付勢された状態で、チャック爪１８の下側湾曲面３６ａとストッパー３１の傾斜面３１ａとが当接し、チャック爪１８の径方向外方への移動を制限している。
チャック爪１８は、径方向外方に付勢された状態で、上部傾斜部３５および下部湾曲部３６の一部をチャックケース１３の側面部２３から径方向外方に突出させている。これにより、情報記録ディスクがターンテーブル装置１０に載置された場合に、情報記録ディスクの軸方向の移動を制限することが可能となる。
【００１７】
チャック爪１８は、チャックケース１３の上部スリット３０ａにチャック爪１８の上部傾斜部３５を配置した状態を保ちつつ、径方向への移動を行う（図１参照）。またチャック爪１８が移動する際、下部湾曲部３６の上端面３６ｂ（図７〜図９参照）は、上部スリット３０ａの周囲面であるチャックケース１３の上端部２２の下端面と、摺接して移動する。
２．ターンテーブル装置の動作
図１０を用いて、ターンテーブル装置１０の動作、特にディスク調芯機構１５の動作およびディスク保持機構１６の動作について説明する。
情報記録ディスクがターンテーブル装置１０に載置される際、情報記録ディスクの中心孔にチャックケース１３が相対的に入る。
チャック爪１８の上部傾斜部３５の平坦面３５ａの径方向外方端は、チャックケース１３の側面部２３よりも径方向内方に位置している。これにより、情報記録ディスクの載置時に情報記録ディスクの中心孔の下部内周縁は上部傾斜部３５の上側傾斜面３５ｂに当接することとなる。さらに、中心孔の下部内周縁がチャック爪１８の上部傾斜部３５を押圧すると、チャック爪１８が径方向内方に移動される。これにより、情報記録ディスクは、中心孔の下部内周縁をチャック爪１８の上側傾斜面３５ｂと摺接させながら押し下げられる。
【００１８】
中心孔が上側傾斜面３５ｂに沿って押し下げられ、中心孔が上側傾斜面３５ｂと下側湾曲面３６ａとが交わるチャック爪１８の爪頂部を乗り越えると、チャック爪１８は、下部湾曲部３６を中心孔の上部内周縁と摺接させながら径方向外方に移動する。これにより、情報記録ディスクは、中心孔の上部内周縁において、チャック爪１８から軸方向下側への支持を受ける。これとともに、情報記録ディスクは、中心孔の周囲面において、ディスク載置部１２から軸方向上側の支持を受ける。
以上により、情報記録ディスクは、ターンテーブル装置１０に保持されることとなる。
また、情報記録ディスクが保持されるのと同時に、以下に記載するように情報記録ディスクの調芯も行われる。
情報記録ディスクがチャック爪１８の爪頂部を乗り越えて押し下げられると、調芯爪２７の湾曲部２７ｂの外方側面の半径が情報記録ディスクの中心孔の半径と等しくなる軸方向位置において、中心孔の下部内周縁と調芯爪２７の湾曲部２７ｂとが接触する。３つの調芯爪２７の湾曲部２７ｂの外方側面の半径は、任意の軸方向位置において、それぞれ等しくなるように形成されている。このため、３つの調芯爪２７は、それぞれが情報記録ディスクの中心孔を径方向外方に均等に支持し、情報記録ディスクとターンテーブル装置１０との調芯が行われる。
【００１９】
３．スピンドルモータ
図１０を用いて、ターンテーブル装置１０を搭載するスピンドルモータ４０について説明する。
スピンドルモータ４０は、静止部材４１と、静止部材４１に回転自在に支持され、ターンテーブル装置１０を有する回転部材４２と、静止部材４１に固定されたステータ４３と、ステータ４３に対向するように回転部材４２に固定され、ステータ４３と協働して回転磁界を発生するためのロータマグネット４４とを備えている。
静止部材４１は、ベース部材４５に固定されたスリーブ４６から主に構成され、スリーブ４６の外周部には、ステータ４３が固定されている。
回転部材４２は、スリーブ４６の内周面と微少間隙を介して対向する外周面を有する円筒状のシリンダーシャフト４８と、シリンダーシャフト４８の内周面において下部が固定されるシャフト４９と、シャフト４９の上部において中心が固定される円盤状部５０ａと円盤状部５０ａの外縁から軸方向下側に延びる環状の外周筒状部５０ｂとを有するカップ状のロータハブ５０と、ロータハブ５０の軸方向上側においてシャフト４９に固定されるターンテーブル装置１０とから主に構成され、ロータハブ５０の外周筒状部５０ｂの内周面には、ステータ４３と径方向に対向するようにロータマグネット４４が固定されている。
【００２０】
静止部材４１において、スリーブ４６の下端開口部は、キャップ５２により施蓋されている。シャフト４９の下端は、キャップ５２に当接してスラスト支持されている。キャップ５２とシャフト４９とが当接する部分には、耐摩耗性シート等が介在されている。
ステータ４３に通電されると、ステータ４３とロータマグネット４４との電磁相互作用が発生する。これにより、回転部材４２が静止部材４１に対して回転駆動され、ターンテーブル装置１０に保持された情報記録ディスクも回転部材４２と一体的に回転駆動される。
４．効果
（１）
ターンテーブル部１１は、ディスク載置部１２とチャックケース１３とを一体的に形成したものである。さらに、ターンテーブル部１１には調芯爪２７と保持用スリット３０とが形成されている。
これにより、ターンテーブル部１１では、部品点数の削減およびコストダウンを実現することが可能となる。
また、付随的な効果として、ディスク調芯機構１５の精度が向上する。すなわち、ターンテーブル部１１、特にチャックケース１３の筒部２１を、スピンドルモータ４０のシャフト４９に直接取り付けることが可能となるため、スピンドルモータ４０の回転軸の軸心と情報記録ディスクの中心とが精度よく調芯されることとなる。
【００２１】
（２）
ターンテーブル部１１では、湾曲部２７ｂを有する調芯爪２７により情報記録ディスクの調芯が行われる。このため、情報記録ディスクの中心孔の径寸法にばらつきがあっても、精度良く調芯を行うことが可能となる。
（３）
ターンテーブル部１１は、合成樹脂により一体的に形成されている。このためターンテーブル部１１の加工が容易となる。また、ディスク載置部１２とチャックケース１３とが一体的に形成されるため、合成樹脂材料の使用量を削減することも可能となる。
（４）
ターンテーブル装置１０では、ディスク調芯機構１５とチャック方式によるディスク保持機構１６とを実現することが可能となる。さらに、ターンテーブル部１１が一体的に形成されているため、ターンテーブル装置１０の部品点数の削減およびコストダウンが可能となる。
（５）
スピンドルモータ４０では、ターンテーブル部１１が一体的に形成されているため、スピンドルモータ４０の部品点数の削減およびコストダウンが可能となる。
【００２２】
さらに付随的な効果として、ターンテーブル装置１０のディスク調芯の精度が向上しているため、情報記録ディスクの偏芯回転を防ぐことが可能となる。
５．変形例
本発明はかかる実施形態に限定されるものではなく、本発明の範囲を逸脱することなく種々の変形あるいは修正が可能である。
（１）
ターンテーブル部１１の各部の形状は、他の形状であってもよい。また、調芯爪２７は、情報記録ディスクの有効な調芯のために周方向に少なくとも３つ設けられていることが望ましいが、それ以上であってもよい。
また、ターンテーブル装置１０において、チャック爪１８の形状は、他の形状であってもよい。例えば、球状であってもよい。
また、ターンテーブル装置１０が搭載されるスピンドルモータの構造も、上記実施形態のスピンドルモータ４０に限定される訳ではない。
（２）
ターンテーブル部１１は、樹脂成型品として金型などによって一体的に成型されている、と説明したが、ターンテーブル部１１の成型に際して、スピンドルモータ４０のシャフト４９を金型に配置し、成型と同時にシャフトをターンテーブル部１１の筒部２１に取り付けるようにしてもよい。
【産業上の利用可能性】
【００２３】
本発明は、さらなる部品点数の削減およびコストダウンの実現が求められるターンテーブル装置およびそれを用いたスピンドルモータなどの用途に利用可能である。
【図面の簡単な説明】
【００２４】
【図１】情報記録ディスク用のターンテーブル装置１０の平面図
【図２】ターンテーブル部１１の平面図
【図３】ターンテーブル部１１の底面図
【図４】ターンテーブル部１１を図２のａ−ａ線に沿って切断した断面図
【図５】ターンテーブル部１１を図２のｂ−ｂ線に沿って切断した断面図
【図６】チャック爪１８の側面図
【図７】チャック爪１８の平面図
【図８】チャック爪１８の正面図
【図９】チャック爪１８の底面図
【図１０】スピンドルモータ４０の断面図
【符号の説明】
【００２５】
１０  ターンテーブル装置  １１  ターンテーブル部  １２  ディスク載置部  １３  チャックケース  １５  ディスク調芯機構  １６  ディスク保持機構  １８  チャック爪  ２０  ゴムリング  ２１  筒部  ２２  上端部  ２３  側面部  ２６  調芯用スリット  ２７  調芯爪  ２７ａ  板状部  ２７ｂ  湾曲部  ２７ｃ  下部側面  ３０  保持用スリット  ３０ａ  上部スリット  ３０ｂ  側部スリット  ３１  ストッパー  ３１ａ  傾斜面  ３４  弾発部材  ３５  上部傾斜部  ３５ａ  平坦面  ３５ｂ  上側傾斜面  ３６  下部湾曲部  ３６ａ  下側湾曲面  ３６ｂ  上端面  ３７  径方向端部  ３８  側面部  ３９  突起部  ４０  スピンドルモータ  ４１  静止部材  ４２  回転部材  ４３  ステータ  ４４  ロータマグネット  ４５  ベース部材  ４６  スリーブ  ４８  シリンダーシャフト  ４９  シャフト  ５０  ロータハブ  ５０ａ  円盤状部  ５０ｂ  外周筒状部  ５２  キャップ
【図１】
2005339591.tif 000003
【図２】
2005339591.tif 000004
【図３】
2005339591.tif 000005
【図４】
2005339591.tif 000006
【図５】
2005339591.tif 000007
【図６】
2005339591.tif 000008
【図７】
2005339591.tif 000009
【図８】
2005339591.tif 000010
【図９】
2005339591.tif 000011
【図１０】
2005339591.tif 000012